(57)【要約】【課題】  ファクシミリ受信後にファクシミリを受信したことを発信者に通知する場合、発信者の通話可能な電話番号を容易に入力可能にする。【解決手段】  本発明は、通話装置と接続されたファクシミリ装置であって、ファクシミリ情報を受信し、受信したファクシミリ情報からファクシミリ情報の発信者番号を取得する。取得した発信者番号を通話番号候補として指定し、指定された通話番号候補の電話番号の修正を受け付け、受け付けた電話番号、もしくは指定された通話番号候補へ通話するために発信するように通話装置を制御する。【選択図】図１
2014013964.tif 000002
【特許請求の範囲】
【請求項１】
通話装置と接続されたファクシミリ装置であって、
ファクシミリ情報を受信するファクシミリ情報受信手段と、
前記ファクシミリ情報受信手段で受信したファクシミリ情報からファクシミリ情報の発信者番号を取得する発信者番号取得手段と、
前記発信者番号取得手段により取得した発信者番号を通話番号候補として指定する通話番号候補指定手段と、
前記通話番号候補指定手段により指定された通話番号候補の電話番号の修正を受け付ける電話番号修正受付手段と、
前記電話番号修正受付手段で修正を受け付けた電話番号、もしくは通話番号候補指定手段で指定された通話番号候補へ通話するために発信するように通話装置を制御する通話番号発信制御手段と、
を有することを特徴とするファクシミリ装置。
【請求項２】
ファクシミリの発信者ＦＡＸ番号と該発信者ＦＡＸ番号に紐付く電話の通話番号を記憶する電話番号記憶手段と、
前記発信者番号取得手段により取得した発信者番号が前記発信者ＦＡＸ番号として電話番号記憶手段に記憶されているかどうかを判断する電話番号記憶判断手段と
前記通話番号候補指定手段は、前記電話番号記憶判断手段により発信者番号が前記発信者ＦＡＸ番号として記憶されている場合、該発信者番号に対応した該発信者ＦＡＸ番号と紐付く電話の通話番号を通話するために発信する電話番号を通話番号候補として指定し、前記電話番号記憶判断手段により発信者番号が該発信者ＦＡＸ番号として記憶されていない場合、該発信者番号を通話番号候補として指定することを特徴とする請求項1に記載のファクシミリ装置。
【請求項３】
前記電話番号記憶判断手段により発信者番号が前記発信者ＦＡＸ番号として記憶されていない場合に前記発信者番号に通話する発信者確認通話手段と、
前記発信者確認通話手段により通話した該発信者番号への通話先がファクシミリ専用機でなければ、通話を継続し、発信者番号を発信者ＦＡＸ番号と通話番号と紐付けて電話番号記憶手段に記憶させ、前記発信者確認通話手段により通話した該発信者番号への通話先がファクシミリ専用機であれば、通話を切断し、前記電話番号修正受付手段を行うことを特徴とする請求項２に記載のファクシミリ装置。
【請求項４】
前記電話番号修正受付手段は、発信者番号の内の上位の指定の桁数を残して表示し、通話番号候補の電話番号の修正を受け付けることを特徴とする請求項１乃至３のいずれかに記載のファクシミリ装置。
【請求項５】
通話装置と接続されたファクシミリ装置における制御方法であって、
ファクシミリ情報を受信するファクシミリ情報受信ステップと、
前記ファクシミリ情報受信ステップで受信したファクシミリ情報からファクシミリ情報の発信者番号を取得する発信者番号取得ステップと、
前記発信者番号取得ステップにより取得した発信者番号を通話番号候補として指定する通話番号候補指定ステップと、
前記通話番号候補指定ステップにより指定された通話番号候補の電話番号の修正を受け付ける電話番号修正受付ステップと、
前記電話番号修正受付ステップで修正を受け付けた電話番号、もしくは通話番号候補指定ステップで指定された通話番号候補へ通話するために発信するように通話装置を制御する通話番号発信制御ステップと、
を有することを特徴とするファクシミリ装置。
【請求項６】
通話装置と接続されたファクシミリ装置を制御するプログラムであって、
ファクシミリ情報を受信するファクシミリ情報受信手段と、
前記ファクシミリ情報受信手段で受信したファクシミリ情報からファクシミリ情報の発信者番号を取得する発信者番号取得手段と、
前記発信者番号取得手段により取得した発信者番号を通話番号候補として指定する通話番号候補指定手段と、
前記通話番号候補指定手段により指定された通話番号候補の電話番号の修正を受け付ける電話番号修正受付手段と、
前記電話番号修正受付手段で修正を受け付けた電話番号、もしくは通話番号候補指定手段で指定された通話番号候補へ通話するために発信するように通話装置を制御する通話番号発信制御手段と、
を有することを特徴とするファクシミリ装置を制御するプログラム。
【発明の詳細な説明】
【技術分野】
【０００１】
本発明は、ファクシミリ画像を受信時に、ファクシミリ発信者へ自動的に通話連絡するファクシミリ装置、ファクシミリ装置の制御方法およびプログラムに関する。
【背景技術】
【０００２】
ファクシミリ受信者は、ファクシミリ画像を受信した際に、送られてきた画像が無事にファクシミリ受信者に届いたことをファクシミリ発信者に知らせたいという要求がある。
【０００３】
従来技術として、特許文献１には、留守番電話にメッセージを記録した発信者にコールバックする場合に、発信者の特定に煩雑な手間がかかることを解決する留守番電話装置が開示されている。
【０００４】
この特許文献１では、留守番電話装置に、発信者の電話番号とそれに対応してコールバックする電話番号（以後、コールバック番号と呼ぶ）が記憶部に予め記憶されており、対応するコールバック番号がなければ、発信者の電話番号に電話する構成が記載されている。
【先行技術文献】
【特許文献】
【０００５】
【特許文献１】特開２０００−２９５３３９
【発明の概要】
【発明が解決しようとする課題】
【０００６】
しかしながら、複数の電話回線を有する企業組織などの場合、ファクシミリ装置には専用の電話回線を用意してある場合が多く、ファクシミリ受信者がファクシミリ発信者へコールバックする場合、ファクシミリ装置にコールバック番号が記憶されていないファクシミリ発信者の番号では、ファクシミリ装置に電話がかかってしまい、ファクシミリ発信者が電話を受話することが出来ない。
【０００７】
その際、ファクシミリ受信者は、コールバックするために手元にある電話番号帳などから電話番号を調べて電話をかけ直す必要があるが、コールバック番号を入力する際、ファクシミリ受信者は、電話番号の最初の桁から入力しなければならず、入力が煩わしかった。
【０００８】
本発明の目的は、ファクシミリ受信者がファクシミリ発信者へコールバックする場合にコールバック番号の入力を容易にすることである。
【課題を解決するための手段】
【０００９】
本発明は、ファクシミリ情報を受信するファクシミリ情報受信手段と、前記ファクシミリ情報受信手段で受信したファクシミリ情報からファクシミリ情報の発信者番号を取得する発信者番号取得手段と、前記発信者番号取得手段により取得した発信者番号を通話番号候補として指定する通話番号候補指定手段と、前記通話番号候補指定手段により指定された通話番号候補の電話番号の修正を受け付ける電話番号修正受付手段と、前記電話番号修正受付手段で修正を受け付けた電話番号へ通話するために発信する通話番号発信手段と、を有することを特徴とする
【発明の効果】
【００１０】
本発明によれば、ファクシミリ受信者がファクシミリ発信者へコールバックする場合にコールバック番号の入力を容易にすることができる。
【図面の簡単な説明】
【００１１】
【図１】本発明実施形態におけるファクシミリシステムのソフトウェアおよびシステム構成図である。
【図２】本発明実施形態におけるファクシミリ装置に適用可能なハードウェア構成図である。
【図３】本発明実施形態における電話番号記憶部の一例を示す模式図である。
【図４】本発明実施形態におけるファクシミリ装置のファクシミリ画像受信処理を示すフローチャートである。
【図５】本発明実施形態におけるファクシミリ装置の確認用電話番号入力処理を示すフローチャートである。
【図６】本発明実施形態におけるファクシミリ装置に表示されるファクシミリ装置の電話番号修正画面イメージを示す模式図である。
【図７】本発明実施形態におけるファクシミリ装置におけるファクシミリ確認電話機能の動作設定を示す模式図である。
【図８】本発明実施形態におけるファクシミリ装置におけるファクシミリ確認電話の表示設定を示す模式図である。
【発明を実施するための形態】
【００１２】
以下、添付図面を参照しながら、本発明に係るファクシミリシステムの好適な実施形態について詳細に説明する。なお、以下の説明及び添付図面において、同一の機能構成を有する構成要素については、同一の符号を付することにより重複説明を省略することにする。
【００１３】
最初に、図１を参照しながら、本発明の実施形態に係るファクシミリシステムの構成について説明する。
【００１４】
図１は、本発明の第１の実施形態におけるファクシミリシステムのシステム構成図である。
【００１５】
尚、図１のファクシミリシステムのシステム構成は一例であり、用途や目的に応じて様々な構成を採ることができる。
【００１６】
本発明のファクシミリ装置１００は、複数台のファクシミリ装置１３０と公衆回線１５０やＬＡＮ（ローカルエリアネットワーク）等のネットワークを介して通信可能に接続されて構成される。
【００１７】
ファクシミリ装置１００は１０１〜１０９の構成を有する。１０１はファクシミリ情報受信部であり、他のファクシミリ装置１３０などから公衆回線１５０を通じて送信された情報を受信する。１０２は発信者番号取得部であり、１０１のファクシミリ情報受信部で受信した情報から、発信者のファクシミリ番号を取得する。１０３は通話番号候補指定部であり、ファクシミリ情報を受信後、ファクシミリ情報を受信した旨を発信者に伝えるための通話番号候補を指定する。
【００１８】
１０４は操作部であり、ファクシミリ装置１００へのユーザからの情報入力やユーザへの情報表示などを行う。１０５は電話番号修正受付部であり、通話番号候補指定部で指定された電話番号をユーザに修正させる受付部である。１０６は通話番号発信制御部であり、ファクシミリ情報を受信後、ファクシミリ情報を受信した旨を通話装置１１０を制御して、ファクシミリ装置で判断、もしくはユーザが入力した発信者電話番号に電話を発信する。
【００１９】
１０７は電話番号記憶部であり、発信者のファクシミリ番号と発信者の通話可能な電話番号とを関連付けて記憶している記憶部である。１０８は電話番号記憶判断部であり、発信者番号取得部で取得した発信者のファクシミリ番号と、電話番号記憶部１０７に記憶された発信者ＦＡＸ番号とが一致しているかどうかを判断する。
【００２０】
１０９は発信者確認通話部であり、発信者のファクシミリ番号に、通話の為の電話をかけるように通話装置を制御する。一度、発信者のファクシミリ番号に電話をすることにより、発信者のファクシミリがファクシミリ専用機かそうでないかの判断を行う。
【００２１】
ファクシミリ装置１００は通話装置（電話機）１１０と接続されており、ファクシミリ画像を受信した後で通話装置１１０によってファクシミリ発信先の通話装置１２０へ確認の電話をかけられる構成になっている。
【００２２】
次に、図２を参照しながら、ファクシミリ装置のハードウェア構成について説明する。
【００２３】
図２は、図１に示したファクシミリ装置のハードウェア構成の一例を示すブロック図である。
【００２４】
図２において、２０１はマルチファンクション機のＣＰＵで、プログラム用ＲＯＭ２０３に記憶された制御プログラム等あるいは外部メモリ２１０に記憶された制御プログラム等に基づいてシステムバス２１１に接続される各種のデバイスとのアクセスを総括的に制御し、印刷部インタフェース２０５を介して接続される印刷部２０６に出力情報としての画像信号を出力する。
【００２５】
複写機機能及びファクシミリ機能において、スキャナ部３００で複写する画像を読み込む、ＣＰＵ２０１はスキャナ部インタフェース２０７を介してスキャナ部３００とデータや制御コードの通信が可能に構成されている。
【００２６】
ＲＡＭ２０２はＣＰＵ２０１に主メモリ、ワークエリア等として機能するＲＡＭである。なお、ＲＡＭ２０２は、出力情報展開領域、環境データ格納領域、ＮＶＲＡＭ等にも用いられる。
【００２７】
ＡＳＩＣ２０４はＲＯＭ２０３やＲＡＭ２０２等のメモリコントローラやＤＭＡコントローラ、インタフェースコントローラ等の制御回路や機能拡張インタフェースを介してのやり取りを行う為の制御回路を内部に備えており、前述したハードディスク（ＨＤ）等の外部メモリ２１０は、ＡＳＩＣ２０４によりアクセスを制御される。
【００２８】
また、１０４は操作部でファクシミリ装置を操作のためのスイッチ類及びＬＥＤ類やＬＣＤ表示器等が配置されている。
【００２９】
次に、図３〜図７を参照しながら、本発明の実施形態に係るファクシミリ装置の動作について説明する。
【００３０】
図３は、本発明実施形態における電話番号記憶部に記憶されているデータベースの一例である。
【００３１】
図３は、図１の電話番号記憶部１０７の具体的な記載例であり、図２の外部メモリ２１０などに記憶している。
【００３２】
図３の発信者ＦＡＸ番号欄３０１には、送られてくるファクシミリの発信者番号が記憶されている。発信者電話番号欄３０２には、発信者ＦＡＸ番号欄３０１に対応する発信者への連絡先の通話番号が記憶されている。すなわち、発信者ＦＡＸ番号と発信者電話番号とが紐付けられている。ユーザがファクシミリを受信後にこの発信者電話番号へ通話連絡することにより、ファクシミリが届いたことを発信者に伝えることができる。
【００３３】
図３の確認フラグ欄３０３は、ファクシミリ受信後に受信したユーザがファクシミリを受信したことを確認するか否かを記憶したフラグであり、「有」と記憶された発信者ＦＡＸ番号の場合は、ファクシミリを受信した後でユーザに、図４の４１０のような画面を表示し、通話による発信者へのファクシミリ受信の確認を行うか否かの通知を行う。確認フラグ欄３０３が「無」と記憶されている発信者ＦＡＸ番号の場合は、図４の４１０のような画面を表示せず、ファクシミリを受信後、処理を終了する。
【００３４】
図３の３つの例を説明する。３１１行のレコードによると、ファクシミリの発信番号が発信者ＦＡＸ番号欄３０１のように「０３１２３４５６７８」である発信先に対しては、通話の為の電話番号は発信者電話番号欄３０２のように「０３２２３３４４５５」である。また、確認フラグ欄３０３に「有」と記憶されているので、通話による受信確認を行うか否かの通知をファクシミリ受信後に行うことを意味している。また、３１２行のレコードによると、ファクシミリの発信番号が発信者ＦＡＸ番号欄３０１のように「０３９８７６５４３２」である発信先に対しては、確認フラグ欄３０３のように「無」と記憶されているので、通話による受信確認を行わないことを意味している。
【００３５】
次に、図４を参照して本発明のファクシミリ装置の処理の流れを説明する。
【００３６】
図４は、本発明実施形態におけるファクシミリ装置１００のファクシミリ画像受信処理を示すフローチャートであり、Ｓ４０１〜Ｓ４０８は処理ステップを示す。なお、図４の各ステップの処理は、ファクシミリ１００のＣＰＵ２０１がプログラムＲＯＭ２０３に格納される実行プログラムをＲＡＭ２０２上で実行することにより実現される。また、図４内に記載されている画面イメージ４１０〜４２１はファクシミリ１００の操作部１０４に表示される画面のイメージ図である。
【００３７】
図４のフローチャートは、他のファクシミリ装置からの情報を受信すると開始される。
【００３８】
まず、ステップＳ４０１において、ファクシミリ装置１００のＣＰＵ２０１は、他のファクシミリ（例：図１の１３０）から画像情報などを受信する。
【００３９】
ステップＳ４０１において、ファクシミリの画像情報を受信すると、ファクシミリ装置１００のＣＰＵ２０１は、ステップＳ４０２において、ファクシミリ情報から発信者のファクシミリ番号を取得する。
【００４０】
ファクシミリ情報は、例えばＧ３プロトコルの場合、「送信端末識別番号」（Ｔｒａｎｓｍｉｔｔｉｎｇ  Ｓｕｂｓｃｒｉｂｅｒ  Ｉｄｅｎｔｉｆｉｃａｔｉｏｎ：ＴＳＩ）コードというものを有している。このコードは、発信側と着信側のファクシミリ装置の接続のためにやりとりされる信号の１つであり、通常、発信側から着信側に送られる発信者のファクシミリ番号である。ファクシミリ装置１００のＣＰＵ２０１は、ステップＳ４０２において、その発信者のファクシミリ番号を取得してＲＡＭ２０２などに記憶する。
【００４１】
次に、ステップＳ４０３において、ファクシミリ装置１００のＣＰＵ２０１は、電話番号記憶部１０７のデータ（図３）を読み込み、ステップＳ４０２で取得したファクシミリの発信番号が図３の発信者ＦＡＸ番号欄３０１に登録されているか（含まれているか）を判断する。
【００４２】
図３の発信者ＦＡＸ番号欄３０１にステップＳ４０２で取得したファクシミリの発信番号が登録されていると判断すると、ステップＳ４０９へと処理を移行し、ファクシミリ装置１００のＣＰＵ２０１は、電話番号記憶部１０７に記憶されている確認フラグ３０３により、ファクシミリ受信確認の電話をするか否かを判段する。確認フラグ３０３が「有」の場合、ステップＳ４０４へと移行し、確認フラグ３０３が「無」の場合、一連の処理を終了する。
【００４３】
一方、図３の発信者ＦＡＸ番号欄３０１にステップＳ４０２で取得したファクシミリの発信番号が登録されていないと判断すると、ステップＳ４０５へと移行する。ステップＳ４０５の処理、すなわち図５のフローチャートの処理の流れは後述する。
【００４４】
ステップＳ４０４へと処理が移行すると、ファクシミリ装置１００のＣＰＵ２０１は、図３の電話番号記憶部に記憶されているステップＳ４０２で取得したファクシミリの発信番号に対応する発信者電話番号欄３０２の電話番号を読み取り、図４の４１０のような画面をファクシミリ装置１００の操作部１０４に表示して、ステップＳ４０６へと移行する。４１０の例では、ファクシミリの発信番号が４１１のように「０３１２３４５６７８」であるので、図３の３１１行のレコードデータが該当する。３１１行のレコードに対応する発信者電話番号欄３０２は「０３２２３３４４５５」であるため、ファクシミリ受信確認電話としては、４１２のように「０３２２３３４４５５」が表示されている。次にステップＳ４０６へと処理を移行する
【００４５】
次に、ステップＳ４０６において、ファクシミリ装置１００のＣＰＵ２０１は、ステップＳ４０４で表示したファクシミリ発信先の通話可能な電話番号にファクシミリ受信確認電話をかけるかどうか、ユーザの入力を受け付ける。
【００４６】
ステップＳ４０６において、確認電話をかけることがユーザにより選択された場合、すなわち図４の画面イメージ４１０の「はい」ボタン４１３が押下される場合は、ステップＳ４０７へと移行する。一方、確認電話をかけないことがユーザにより選択された場合、すなわち図４の画面イメージ４１０の「いいえ」ボタン４１４が押下される場合は、一連の処理を終了する。
【００４７】
次に、ステップＳ４０７へと処理が移行すると、ファクシミリ装置１００のＣＰＵ２０１は、ファクシミリ発信先の通話可能な電話番号へ自動的にダイヤルして、通話装置１１０を通話可能な電話と通話可能な状態にする。なお、他の実施例として、ファクシミリのハンドセット（通話装置１１０）をオフフックするとファクシミリ発信先の通話可能な電話番号へダイヤルする構成としても良い。自動的に通話可能な電話番号へダイヤルする際の操作部１０４のイメージを図４の４２０に示す。
【００４８】
次に、ユーザが通話可能な電話番号への電話でファクシミリ画像を受信した旨を伝えた後、ステップＳ４０８において、ファクシミリ装置１００のＣＰＵ２０１は、ユーザから「通話終了」ボタン４２１を受け付け、通話を終了して一連の処理を終了する。なお、通話終了ボタンの代わりに、ハンドセット（通話装置１１０）のオンフック操作でも良い。
次に、ステップＳ４０５の処理を図５を参照して説明する。
【００４９】
図５は、本発明実施形態におけるファクシミリ装置１００の確認用電話入力処理を示すフローチャートであり、Ｓ５０１〜Ｓ５０９は処理ステップを示す。なお、図５の各ステップの処理は、ファクシミリ１００のＣＰＵ２０１がプログラムＲＯＭ２０３に格納される実行プログラムをＲＡＭ２０２上で実行することにより実現される。また、図５内に記載されている画面イメージ５１０〜５３１はファクシミリ１００の操作部１０４に表示される画面のイメージ図である。
【００５０】
まず、ステップＳ５０１において、ファクシミリ装置１００のＣＰＵ２０１は、ユーザに対して、受信したファクシミリの発信者番号と、受信した旨の確認電話をするかどうかの確認画面を操作部１０４に表示する。図５の５１０に具体的な画面イメージを表示する。画面イメージ５１０の場合、ファクシミリ発信先番号としてはファクス発信者番号５１４として、「０６１１１１２２２２」から受信した後の画面イメージである。５１１には、通話可能な電話番号の候補として、デフォルトでファクシミリの発信番号である「０６１１１１２２２２」が入力されている。なお、後述する設定により、ファクシミリの発信番号をデフォルトで表示しないことも可能である。
【００５１】
次に、ステップＳ５０２において、ファクシミリ装置１００のＣＰＵ２０１は、ステップＳ４０２で取得した発信先のファクシミリの相手先の通話可能な電話番号へ電話をかけるかどうか、ユーザの入力を受け付ける。
【００５２】
ステップＳ５０２において、確認電話をかけることがユーザにより選択された場合、すなわち図５の画面イメージ５１０の「はい」ボタン５１２が押下される場合は、ステップＳ５０３へと移行する。一方、確認電話をかけないことがユーザにより選択された場合、すなわち図５の画面イメージ５１０の「いいえ」ボタン５１３が押下される場合は、一連の処理を終了する。
【００５３】
ステップＳ５０３に処理を移行すると、ファクシミリ装置１００のＣＰＵ２０１は、ファクシミリ発信者の通話可能な電話番号の入力をユーザから受け付けるための画面を表示する。画面の表示例を図５の画面イメージ５２０を参照して説明する。なお、画面イメージ５２０では、デフォルトは通話可能な電話番号として、ステップＳ４０２で取得した発信者のファクシミリ番号を入力した状態で表示している。
【００５４】
ここで、デフォルトでファクシミリ番号が入力されていることによる効果を説明する。
【００５５】
ファクシミリ番号と通話可能な電話番号は、一般家庭のような１回線しか公衆回線を使っていない相手では、ファクシミリ番号と通話可能な電話番号は同じであるため、ファクシミリの発信先にもう一度確認の電話をかければ良い。また、一般の会社のように複数回線の公衆回線を使っている相手の場合でも、ファクシミリ番号と通話可能な電話番号は、近い番号（特に上位６桁など）が付与されていることが多い。そのため、通話可能な電話番号を入力する際に、電話番号の異なる下４桁を修正するのみで、電話番号を入力可能となる効果を有する。図５の説明に戻る。
【００５６】
次に、ステップＳ５０３において、ファクシミリ装置１００のＣＰＵ２０１は、発信者のファクシミリ番号へ通話を試みる。
【００５７】
ここで、発信者のファクシミリ番号へ通話を試みることによる効果を説明する。
【００５８】
発信先のファクシミリ装置が通話可能な一般家庭のような１回線しかない電話番号の場合は、この通話により、発信者へ通話が可能となる。また、発信者への通話が無理な場合、即ち、発信先のファクシミリがファクシミリ専用機である場合は、発信者のファクシミリ番号に対応する通話可能な電話番号の入力を促すことで、発信者のファクシミリが専用機である事が判明し、電話番号の入力画面を自動的に起動することができる効果を有する。図５の説明に戻る。
【００５９】
次に、ステップＳ５０４において、ファクシミリ装置１００のＣＰＵ２０１は、通話を試みた発信者のファクシミリ番号のファクシミリがファクシミリ専用機かどうかを判断する。相手のファクシミリ装置がファクシミリ専用機かどうかを判断する方法としては、例えば、相手のファクシミリ専用機が通話状態後に発するＣＥＤ信号を受信するかどうかで判断しても良い。
【００６０】
ステップＳ５０４において、通話を試みた発信者のファクシミリ番号のファクシミリがファクシミリ専用機でない場合は、ステップＳ５０９へと処理を移行し、通話接続を継続する。ユーザは発信者に通話を行い、ファクシミリを受信した旨を伝える。その後、ステップＳ５０８へと処理を移行する。
【００６１】
一方、ステップＳ５０４において、通話を試みた発信者のファクシミリ番号のファクシミリがファクシミリ専用機であった場合は、通話を切断し、ステップＳ５０５へと処理を移行する。
【００６２】
なお、ステップＳ５０３の発信者のファクシミリ番号に通話する処理は、省略することも可能であり、その際は、ステップＳ５０２で、確認電話をかけることがユーザにより選択された場合、ステップＳ５０５へと処理を移行する。
【００６３】
次に、ステップＳ５０５において、ファクシミリ装置１００のＣＰＵ２０１は、ユーザに対して、受信したファクシミリの発信者番号の修正入力を促す操作画面を操作部１０４に表示する。図５の５２０に具体的な画面イメージを表示する。
【００６４】
画面イメージ５２０の例では、デフォルトで発信者への電話番号として、ファクス発信者番号５１４の番号である「０６１１１１２２２２」を修正可能な状態で、電話番号入力欄５２１に表示している。５２２は電話番号を変更するカーソルであり、ファクシミリ装置の操作部１０４のバックスペースキーやその他の代用キーなどにより、電話番号を変更可能である。（ステップＳ５０６による確認用電話番号の修正受付）
【００６５】
ステップＳ５０６において、電話番号入力欄５２１に表示された番号にユーザが通話可能な電話番号を入力する。入力されている電話番号を変更しない場合、即ちステップＳ５０３の処理を省略した場合であって、発信者ＦＡＸ番号と発信者電話番号が一緒である事が分かっている場合は、ユーザはそのまま「入力完了」ボタンを押下し、ファクシミリ発信先の番号を発信者電話番号として登録する（ステップＳ５０８）。一方、５２１に入力されている電話番号を変更する場合は、５２２に表示されているカーソルを、ユーザが電話番号を変更する下桁数まで移動させ、例えば画面イメージ５３０の５３１のように「０６１１１１２２２２」だった番号を「０６１１１１３３３３」へ変更する。
【００６６】
変更を受け付けたファクシミリ装置１００のＣＰＵ２０１は、ステップＳ５０７において、電話番号の変更受付画面を表示し、画面イメージ５２０の「入力完了」ボタン５２３か「やめる」ボタン５２４の押下を受け付ける。「入力完了」ボタン５２３が押下されると、ステップＳ５０８へと処理を移行し、ステップＳ５０８において、Ｓ４０２で取得したファクシミリ番号とＳ５０６で指定された通話可能な電話番号を関連付けて電話番号記憶部１０７に記憶して、図４のフローチャートに戻る。一方、ステップＳ５０５において、「やめる」ボタン５２４が押下されると、一連の処理を終了する。
【００６７】
以上のように、ファクシミリ発信先の番号と関連する通話可能な電話番号を電話番号記憶部が記憶していない場合、予めファクシミリ発信先の番号を表示しておいて、ユーザの電話番号入力の手間を軽減することが可能という効果を有する。
【００６８】
次に、図６を参照して、ファクシミリ装置の電話番号入力欄の異なる方法を説明する。
【００６９】
図６は、本発明実施形態におけるファクシミリ装置１００の操作部１０４に表示されるファクシミリ装置の電話番号修正画面イメージである。
【００７０】
図６の６００は、電話番号修正の際に操作部１０４に表示され、図５の５２０の代わりに表示される画面イメージであり、電話番号入力欄が発信者ＦＡＸ番号の上位６桁のみをデフォルトで表示される例を示している。
【００７１】
６００の例では、発信者ＦＡＸ番号６０１が「０６１１１１２２２２」であり、発信者ＦＡＸ番号の上位６桁を表示させる設定になっているので、電話番号入力欄６０２には、発信者ＦＡＸ番号の上位６桁のみである「０６１１１１」のみが表示されて、６０３に電話番号を入力するためのカーソルが表示される。
【００７２】
この画面表示は、通常はＦＡＸ番号と電話番号の上位数桁は同じ場合が多いことによる発信者電話番号の入力の手間を省くことに貢献する。また、ファクシミリには通常、バックスペースキーなどの前に入力した文字を削除するキーがない場合が多いが、バックスペースキーがなくても電話番号のテンキーなどだけで、電話番号を修正することができる効果を有する。
【００７３】
次に、図７を参照して、ファクシミリ装置の動作設定画面イメージを説明する。
【００７４】
図７は、本発明実施形態におけるファクシミリ装置１００の操作部１０４に表示されるファクシミリ装置の設定画面イメージである。
【００７５】
図７の７００は、発信者ＦＡＸ番号などを登録する際に操作部１０４に表示され、７０３の発信者ＦＡＸ番号に対して、７０１〜７０２で選択される選択項目の設定が反映される。７０３の発信者ＦＡＸ番号に対して、７０１が選択された場合、「確認電話機能を使用しない」であり、本発明の確認電話の機能を使用しない。７０３の発信者ＦＡＸ番号に対して、７０２が選択された場合、「受信後に確認電話をかける画面を表示」であり、ファクシミリの受信後に確認電話をかける図４の処理を実施する。この設定値は図３の３０３の確認フラグ欄に「有」「無」として記憶される。
【００７６】
このように、発信者ＦＡＸ番号毎にファクシミリ受信後の確認用電話をかけるかどうかを設定することにより、重要な相手先のファクシミリを受信する際にはファクシミリ受信後に確認の電話をし易くするようにし、重要でないファクシミリの相手に対しては確認の電話を入れなくても良い設定とすることができる。
【００７７】
次に、図８を参照して、ファクシミリ装置の動作設定画面イメージを説明する。
【００７８】
図８は、本発明実施形態におけるファクシミリ装置１００の操作部１０４に表示されるファクシミリ装置の設定画面イメージである。
【００７９】
図８の８００は例えばファクシミリ装置の起動時に起動された操作部１０４に表示される。図８の設定画面は、ファクシミリ情報から取得した番号が、アドレス帳（電話番号記憶部１０７）の発信者電話番号に登録されていない発信者ＦＡＸ番号（図３の３１２行のレコードの例）、もしくはアドレス帳（電話番号記憶部１０７）に登録されていない発信者のファクシミリ番号の場合に、デフォルトの通話可能な電話番号の入力欄に何を表示するかを設定する画面イメージである。
【００８０】
図８の８０１の「表示しない」が選択された場合、通話可能な電話番号の入力欄には、未記入状態で表示する。一方、８０２の「発信者ファクス番号を表示する」が選択されると、通話可能な電話番号の候補として、発信者ＦＡＸ番号を表示する。また、８０３の「上位６桁のみ表示する」が選択されると、通話可能な電話番号の候補として、発信者ＦＡＸ番号の上位６桁のみを表示する。図６の例が、発信者ＦＡＸ番号の上位６桁を表示させる例である。
【００８１】
このことにより、発信者のファクシミリ番号と通話可能な電話番号とが同じ場合が多い、例えば主に家庭で使う場合などは、デフォルトで８０２のラジオボタンをチェックしておき、また、会社などの複数の公衆回線を使う相手に主に使う場合は、８０３のラジオボタンをチェックしておけば、ユーザの電話番号の入力の手間が省けるという効果を有する。
【００８２】
また、発信者ＦＡＸ番号のデフォルトで表示する上位桁数は８０４のように任意に変えられるように設定できる。
【００８３】
以上説明したように、本発明によれば、ファクシミリを受信して受信した旨の確認電話をする際、ファクシミリ番号に対応する電話番号が記憶されていない場合に、容易に電話番号を入力することができる効果を有する。
【００８４】
なお、上記説明ではファクシミリ装置の場合について記載したが、データを受信後に確認の電話を必要とする装置であれば、他の構成でも同様に実現可能である。例えば、電子メールを受信した際に電話の確認が必要な場合は、ファクシミリ装置の代わりに電子メール受信装置と通話装置１１０とが接続される構成でも同様に実現可能である。
【００８５】
以上、本発明の一つの実施形態を詳述したが、本発明は、例えば、システム、装置、方法、プログラムもしくは記憶媒体等としての実施態様をとることが可能であり、また、複数の機器から構成されるシステムに適用しても良い。
【００８６】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００８７】
この場合、記憶媒体から読み出されたプログラムコード自体が前述した実施形態の機能を実現することになり、プログラムコード自体及びそのプログラムコードを記憶した記憶媒体は本発明を構成することになる。
【００８８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８９】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００９０】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【符号の説明】
【００９１】
１００  ファクシミリ装置
１０１  ファクシミリ情報受信部
１０２  発信者番号取得部
１０３  通話番号候補指定部
１０４  操作部
１０５  電話番号修正受付部
１０６  通話番号発信部
１０７  電話番号記憶部
１０８  電話番号記憶判断部
１０９  発信者確認通話部
１１０  通話装置（電話機）
１２０  通話装置（電話機）
１３０  ファクシミリ装置
１５０  公衆回線
【図１】
2014013964.tif 000003
【図２】
2014013964.tif 000004
【図３】
2014013964.tif 000005
【図４】
2014013964.tif 000006
【図５】
2014013964.tif 000007
【図６】
2014013964.tif 000008
【図７】
2014013964.tif 000009
【図８】
2014013964.tif 000010